(57)【要約】  異なる波長の光を供給する複数の光源１０２，１１１，１１９，１２０，１４０３，１４０８，１４１０，１５０８，１５１０，１５１２と、入力側端部１０３，１４０２及び出力側端部１１４，１４０４をもつ第１のコリメート手段１０４，１４００，１５００とを有する照明デバイス１６００，１７００，１８００，１９００であって、前記光源は、前記入力側端部に設けられ、前記第１のコリメート手段は、各光源に対してサブコリメータ１０６，１０７，１０８が光源からの光をコリメートするように、前記複数の光源のそれぞれに対する前記サブコリメータとして設けられたダイクロイックフィルタ１０９，１１０，１１５，１１６，１１７，１１８，１４０９，１４１１，１４１３，１５０９，１５１１，１５１３のセットを有し、各光源の前記ダイクロイックフィルタは、混合及びコリメートされた光が前記出力側端部から出力可能なように、異なる波長の隣接する光源からの光に対して透明であり、当該照明デバイスは、入力側端部１８０５及び出力側端部１８０６をもつ混合ロッド１６０４，１７０４，１８０４，１９０４を有し、前記第１のコリメート手段は、前記第１のコリメート手段の前記出力側端部から前記混合ロッドの前記入力側端部に結合する光が、前記混合ロッドの前記出力側端部で色混合された光が出力可能なように設けられる、照明デバイスが開示されている。
2010536137.tif 000002
【特許請求の範囲】
【請求項１】
異なる波長の光を供給する複数の光源と、
入力側端部及び出力側端部をもつ第１のコリメート手段とを有する照明デバイスであって、
前記光源は、前記入力側端部に設けられ、
前記第１のコリメート手段は、各光源に対してサブコリメータが光源からの光をコリメートするように、前記複数の光源のそれぞれに対する前記サブコリメータとして設けられたダイクロイックフィルタのセットを有し、
各光源の前記ダイクロイックフィルタは、混合及びコリメートされた光が前記出力側端部から出力可能なように、異なる波長の隣接する光源からの光に対して透明であり、
当該照明デバイスは、
入力側端部及び出力側端部をもつ混合ロッドを有し、
前記第１のコリメート手段は、前記第１のコリメート手段の前記出力側端部から前記混合ロッドの前記入力側端部に結合する光が、前記混合ロッドの前記出力側端部で色混合された光が出力可能なように設けられる、照明デバイス。
【請求項２】
前記混合ロッドの前記出力側端部に設けられた第２のコリメート手段を更に有する、請求項１に記載の照明デバイス。
【請求項３】
前記混合ロッドは、一般的な光伝播方向に沿った或る位置で、前記混合ロッドの前記入力側端部での横断面エリアよりも小さい横断面エリアをもつ、請求項１又は請求項２に記載の照明デバイス。
【請求項４】
前記混合ロッドの前記入力側端部での横断面エリアよりも小さい横断面エリアの前記或る位置が、前記混合ロッドの前記出力側端部にある、請求項３に記載の照明デバイス。
【請求項５】
前記混合ロッドがファセットをもつ、請求項１〜４のうちいずれか一項に記載の照明デバイス。
【請求項６】
前記混合ロッドは、前記混合ロッドを通過する光伝播長さが前記混合ロッドの外径よりも長くなるように、折り畳まれ、曲げられ、又は、湾曲される、請求項１〜５のうちいずれか一項に記載の照明デバイス。
【発明の詳細な説明】
【技術分野】
【０００１】
本発明は照明デバイスに関する。
【背景技術】
【０００２】
所望の色温度の白色光の供給のために種々異なる技術が適用されている。一例は、国際公開第２００６／１２９２２０号パンフレットに開示されるようなダイクロイック（dichroic）混合体を用いることであり、異なる色をもつ光を放射する複数の発光ダイオード（ＬＥＤ）からの光を混合及びコリメートするためにダイクロイックフィルタが用いられる。集められて混合された出力光は、前記異なる色の全てをもち、それ故、白色光と見なされ得る。しかしながら、供給された光パターンの色分布は、均一ではなく、それ故、光パターンの幾つかの部分において変色をもたらすことが依然として問題である。
【発明の概要】
【発明が解決しようとする課題】
【０００３】
前記の観点において、本発明の目的は、前述した問題を解決するか、又は、少なくとも低減することにある。特に、本目的は、変色の減少の意味において向上した光パターンを供給することにある。
【課題を解決するための手段】
【０００４】
本発明は、第１の色混合のコリメーション特性が第２の色混合において色混合を向上させることから、コリメーションも提供される第１の色混合と、混合ロッドにおける第２の色混合との組み合わせが特に有利であるという理解に基づいている。それ故、集約色混合の予期しない効果は、本発明による照明デバイスの全体の混合特性が、それぞれ１つの要素と見なされたダイクロイック混合体及び混合ロッドの混合特性の組み合わせから予期され得るものより優れていることである。組み合わせであるがオプション的な特性として、発明者らは、入力した光が第１の色混合体によりある程度までコリメートされるので、入力エリアよりも小さい混合ロッドの出口エリアをもつことが可能となることを見出した。混合ロッドのこの特性は、幾らかのデコリメーション（decollimation）を供給してしまうが、混合ロッドはより短く作れ、第２のオプション的なコリメータの使用及びタイプに依存して、第２のコリメータを適用するのが容易であり、第２のコリメータのサイズも削減され得る。
【０００５】
本発明の第１の態様によれば、異なる波長の光を供給する複数の光源と、入力側端部及び出力側端部をもつ第１のコリメート手段とを有する照明デバイスであって、前記光源は、前記入力側端部に設けられ、前記第１のコリメート手段は、各光源についてサブコリメータが該光源からの光をコリメートするように、前記複数の光源のそれぞれに対する前記サブコリメータとして設けられたダイクロイックフィルタのセットを有し、各光源の前記ダイクロイックフィルタは、混合及びコリメートされた光が前記出力側端部で出力可能なように、異なる波長の隣接する光源からの光に対して透明であり、当該照明デバイスは、入力側端部及び出力側端部をもつ混合ロッドを有し、前記第１のコリメート手段は、前記第１のコリメート手段の前記出力側端部から前記混合ロッドの前記入力側端部に結合する光が、前記混合ロッドの前記出力側端部で色混合された光が出力可能なように設けられる、照明デバイスが提供される。
【０００６】
これは、同程度のサイズのダイクロイック混合体又は混合ロッドだけを用いたものと比較して向上した色混合を提供する。
【０００７】
照明デバイスは、前記混合ロッドの前記出力側端部に設けられた第２のコリメート手段を更に有し得る。これは、照明デバイスからのコリメートされた光出力を提供する。
【０００８】
混合ロッドは、一般的な光伝播方向に沿った或る位置に、前記混合ロッドの前記入力側端部の断面エリアよりも小さい断面エリアをもち得る。ここで、断面エリアは、一般的な光の方向と直角の方向における混合ロッドの光学的な作動部分の断面のエリアと見なされる。前記断面エリアが前記混合ロッドの前記入力側端部の断面エリアよりも小さい前記位置は、前記混合ロッドの前記出力側端部であってもよい。
【０００９】
混合ロッドはファセットをもち得る。混合ロッドは、前記混合ロッドを通る光伝播の長さが混合ロッドの外径よりも長くなるように、折り畳まれ、曲げられ、又は湾曲されてもよい。
【００１０】
概して、特許請求の範囲で用いられる全ての用語は、ここで特に明確に規定される場合を除き、この技術分野における通常の意味に従って解釈されるべきである。要素、デバイス、部品、手段、ステップ等の全ての参照は、明示的に別段の定めをした場合を除き、要素、デバイス、部品、手段、ステップ等の少なくとも１つの事例に言及するように広く解釈されるべきである。ここで開示されたいずれかの方法のステップは、明示的に定めをした場合を除き、開示された正確な順序で実行される必要はない。
【００１１】
本発明の他の目的、特徴及び利点は、以下に詳述された開示、特許請求の範囲、及び、図面から理解されるだろう。
【００１２】
本発明の前記並びに追加の目的、特徴及び利点は、添付図面を参照して、本発明の好ましい実施形態の以下の例示及び非限定的な詳細な説明を通じてより良く理解されるだろう。ここで、同一の参照符号が同様の要素に対して用いられるだろう。
【図面の簡単な説明】
【００１３】
【図１】ダイクロイック混合体の例を概略的に示す。
【図２】ダイクロイック混合体の例を概略的に示す。
【図３】混合ロッドの例を概略的に示す。
【図４】混合ロッドの例を概略的に示す。
【図５】混合ロッドの例を概略的に示す。
【図６】混合ロッドの例を概略的に示す。
【図７】混合ロッドの例を概略的に示す。
【図８】混合ロッドの例を概略的に示す。
【図９】混合ロッドの例を概略的に示す。
【図１０】混合ロッドの例を概略的に示す。
【図１１】コリメータの例を概略的に示す。
【図１２】コリメータの例を概略的に示す。
【図１３】コリメータの例を概略的に示す。
【図１４ａ】ダイクロイック混合体の代替実施形態を示す。
【図１４ｂ】ダイクロイック混合体の代替実施形態を示す。
【図１４ｃ】ダイクロイック混合体の代替実施形態を示す。
【図１４ｄ】ダイクロイック混合体の代替実施形態を示す。
【図１４ｅ】ダイクロイック混合体の代替実施形態を示す。
【図１５ａ】ダイクロイック混合体の代替実施形態を示す。
【図１５ｂ】ダイクロイック混合体の代替実施形態を示す。
【図１５ｃ】ダイクロイック混合体の代替実施形態を示す。
【図１５ｄ】ダイクロイック混合体の代替実施形態を示す。
【図１５ｅ】ダイクロイック混合体の代替実施形態を示す。
【図１５ｆ】ダイクロイック混合体の代替実施形態を示す。
【図１６】本発明の照明デバイスの原理を概略的に示す。
【図１７】本発明の照明デバイスの例となる実施形態を示す。
【図１８】本発明の照明デバイスの例となる実施形態を示す。
【図１９】本発明の照明デバイスの例となる実施形態を示す。
【図２０】カセグレンコリメータの代替実施形態を示す。
【図２１】カセグレンコリメータの代替実施形態を示す。
【図２２】カセグレンコリメータの代替実施形態を示す。
【発明を実施するための形態】
【００１４】
図１〜図１５は、本発明の照明デバイスを組み立てるための要素である。数多くの例が与えられ、簡潔さの目的で、異なる要素の例となる変形だけが明確に開示されるが、当業者により容易に理解されるように、例えば他の類似の形状による示された要素の他の集まり及び示された要素の変形は、図１６〜図１９を参照して述べられた本発明の照明デバイスの実施形態として同等に可能である。
【００１５】
図１は、照明ユニット１００が好ましい色温度を伴う本質的な白色光を供給可能なように、異なる波長範囲をそれぞれもつ複数の光源１０２を有する照明ユニット１００を概略的に示している。好ましい色温度を実現するための光源１０２の選択及び制御は、従来の範囲内で既知であり、本発明の一部ではない。しかしながら、より良い理解の目的のために、光源１０２が、例えば赤色、緑色及び青色の光をそれぞれ供給する発光ダイオード（ＬＥＤ）を有利に有し得ることが留意されるべきである。光源１０２は、照明ユニット１００のコリメート手段１０４の入力側端部１０３に設けられる。
【００１６】
それ故、照明ユニット１００は、光源１０２のそれぞれに対してサブコリメータ１０６，１０７，１０８を有するコリメート手段１０４を有する。本発明の理解のために、サブコリメータ１０６が考察される。サブコリメータ１０６は、対応する光源１１１から放射された光を反射するコリメーション要素１０９，１１０を有する。コリメーション要素１０９，１１０は、好ましくはダイクロイックフィルタである。それ故、これらのフィルタ、即ちコリメーション要素１０９，１１０は、他の色の光に対して透明であり、それ故、空間的にオーバーラップするサブコリメータをもつ図１に示された小型構造を可能にする。例えば光源１１１が赤色光を放射する場合には、コリメーション要素は、赤色光を反射するが、多かれ少なかれ緑色及び青色の光に対して透明であるように設けられる。斯様なフィルタは、各側に１６層のSiO2及びTa2O5フィルタをもつガラスプレートにより実現され得る。これは、およそ６００ｎｍをやや上回る波長を伴う光、即ち赤色光を反射するが、それよりも短い波長を伴う可視光、即ち緑色及び青色光を透過するだろう。光源１１１からの光の２つの例となる光線１１２，１１３が考えられる場合には、図１の左側の光線１１２は、対応するコリメーション要素１０９により反射されて、コリメート手段１０４の出力側端部１１４から出て行き、図１の右側の光線１１３は、隣のコリメーション要素１１５を介して透過され、対応するコリメーション要素１１０により反射され、次に隣のコリメーション要素１１７を介して透過され、コリメート手段１０４の出力側出口１１４から出て行くだろう。隣のコリメーション要素１１５，１１７の特性により、赤色光は、これらを通過することができる。例えば、コリメーション要素１１５は、緑色光を反射し得るが赤色光を透過し得る。以下で説明されるように、コリメーション要素１１５は、オプション的に、帯域消去型フィルタであり、それ故に青色も透過し、例えば各側に１４層のSiO2及びTa2O5フィルタをもつガラスプレートである。
【００１７】
同様に、光源１１９からの光、例えば緑色光は、コリメーション要素１１５，１１６によりコリメートされる一方で、隣のコリメーション要素１１０，１１７を通過し、光源１２０からの光、例えば青色光は、コリメーション要素１１７，１１８によりコリメートされる一方で、隣のコリメーション要素１１０，１１６を介して通過する。それ故、所望の特性を伴う集まった光は、コリメート手段１０４の出力側端部１１４から放射される。コリメーション要素は、それ故、例えば各側に１２層のSiO2及びTa2O5フィルタをもつガラスプレートにより、青色光を反射するとともに赤色及び緑色光を透過し得る。
【００１８】
図２は、図１を参照して述べられたものと同様のタイプであるが、僅かにコンパクトな構造をもつ照明ユニット２００を概略的に示している。図２に示された実施形態の全てのサブコリメータは、共通の出力エリアをもつ。即ち、オーバーラップは、図１に示されたような部分的なだけのオーバーラップに代えて、照明ユニット２００の出力側端部の全体である。
【００１９】
図１及び図２は、光のダイクロイック混合及びコリメーションの原理を示しており、これは、国際公開第２００６／１２９２０号パンフレットに開示されており、それ故、形状及びバージョンの更なる説明は、簡潔さの目的のためにここでは示されないが、前述した文書を参照する。しかしながら、図１３及び図１４を参照して、ダイクロイック混合体の追加の実施形態が以下に開示される。
【００２０】
図３〜図１０は、混合ロッド、即ち光が混合ロッドを通過する経路に沿って繰り返された内部反射により混合される光学的な長尺要素の異なる実施形態を斜視図で示している。混合ロッドは、反射が全内部反射（ＴＩＲ；total internal reflection）に依存する半透明材料で作られ得るか、若しくは、反射シェルから作られ得るか、又は、反射コーティングのような、シェルを囲む反射体との半透明材料の組み合わせであり得る。
【００２１】
図３は、円柱状の混合ロッドを示している。図４は、ファセットをもつ混合ロッドを示し、ここでは六角形状の混合ロッドとして示される。しかしながら、ファセットの数及びこれらの分布は、任意の適切な手法で選択され得る。
【００２２】
図５は、出力エリアよりも大きい入力エリアをもつ混合ロッドを示し、これは、混合を促進させる。これは、混合ロッドにより入力された光が、図１６〜図１９を参照して以下に更に説明されるように、ダイクロイック混合体によりある程度まで既にコリメートされることから、本発明において可能となる。図５の混合ロッドもファセットをもつが、混合を促進させるために出力エリアよりも大きな入力エリアをもつという特徴は、ファセットを伴わない混合ロッドにも適用可能である。
【００２３】
図６は、混合ロッドに沿った位置での或るエリアよりも大きな入力エリアをもつ混合ロッドを示しており、これも、混合を促進させる。図６の混合ロッドもファセットをもつが、混合を促進させるために混合ロッドに沿った前記位置のエリアよりも大きな入力エリアをもつという特徴は、ファセットを伴わない混合ロッドにも適用可能である。混合ロッドに沿った前記位置は、混合ロッドに沿った任意の適切な位置に選択され得る。
【００２４】
図７は、図５に示された混合ロッドのように、混合を促進させるために出力エリアよりも大きい入力エリアをもつ混合ロッドを示しているが、ここでは、混合ロッドは直線部分ももつ。図８は、図７に示された混合ロッドのように、混合を促進させるために出力エリアよりも大きい入力エリアをもつとともに直線部分をもつ混合ロッドを示しているが、ここでは、混合ロッドは、円形横断面をもつ。
【００２５】
図９は、混合ロッドに沿った或る位置よりも大きく、出力エリアよりも大きい入力エリアをもつ混合ロッドを示しており、これも、混合を促進させる。混合ロッドは、第１の位置と出力との間での第２の位置に、より大きな横断面エリアをもつ。図９の混合ロッドは、円形横断面をもつが、混合を促進させるために、混合ロッドに沿った第１の位置のエリアよりも大きい入力エリア、及び、第１の位置と出力との間の混合ロッドに沿った第２の位置でのより大きな横断面エリアをもつという特徴は、ファセットを伴う混合ロッドにも適用可能である。混合ロッドに沿った第１及び第２の位置は、混合ロッドに沿った任意の適切な位置に選択され得る。
【００２６】
図１０は、混合ロッドの外径よりも長い混合ロッドを通過する光伝播長さを作るための折り畳まれた光経路をもつ混合ロッドを示している。図１０は、ファセットをもち、出力エリアよりも大きな入力エリアをもつ混合ロッドを示している。しかしながら、光経路を折り畳むことは、図３〜図９を参照して述べられた混合ロッドのいずれかの特徴と一緒に適用され得る。混合ロッドの外径よりも長い混合ロッドを通過する光伝播長さを実現することにより、混合ロッドは、曲げられるか又は湾曲されてもよい。
【００２７】
図１１〜図１３は、コリメートされた光が本発明の照明デバイスからの出力として要求される場合に適用されるべきオプション的なコリメータの例を示している。混合ロッドに関しては、コリメータは、反射が全内部反射（ＴＩＲ）に依存する半透明材料で作られ得るか、若しくは、反射シェルから作られ得るか、又は、反射コーティングのような、シェルを囲む反射体との半透明材料の組み合わせであり得る。
【００２８】
図１１は、パラボラコリメータを斜視図で示している。図１２は、カセグレンコリメータを斜視図で示している。カセグレンコリメータの他の例は、図２０〜図２２に示される。図２０は、パラボラミラー２００２及び光反射錐体２００４を有するカセグレンコリメータ２０００を示している。このコリメータ２０００に関して、光入力側端部２００６で入力された光は、少なくとも僅かにコリメートされることを必要とし、さもなければ、一部の光は、反射錐体２００４に当たらないだろう。例となる光線２００８が示される。図２１は、パラボラミラー２１０２及び湾曲ミラー２１０４を有するカセグレンコリメータ２１００を示している。このコリメータ２１００に関して、光入力側端部２１０６で入力された光は、少なくとも僅かにコリメートされることを必要とし、さもなければ、一部の光は湾曲ミラー２１０４に当たらないだろう。例となる光線２１０８が示される。図２２は、パラボラミラー２２０２、ガラス又はアクリルガラス体２２０３及びミラー２２０４を有するカセグレンコリメータ２２００を示している。このコリメータ２２００に関して、光入力側端部２２０６で入力された光は、凹部又は少なくとも屈折面２２０７が供給されるので、コリメートされる必要がない。例となる光線２２０８が示される。図１３は、コリメートレンズを断面図で示している。レンズは、当業者により容易に理解されるように、図１３に示されるよりも複雑な構造の屈折要素であり得る。
【００２９】
図１４及び図１５は、図１及び図２を参照して、並びに、国際公開第２００６／１２９２２０号パンフレットにおいて述べられたダイクロイック混合体と同様の機能をもつダイクロイック混合体の追加の実施形態を示している。しかしながら、発明者らは、混合体の小型化及びダイクロイック混合体から出力された光の品質の双方に起因して、図１及び図２を参照して、並びに、国際公開第２００６／１２９２２０号パンフレットにおいて述べられた一次元分布の代わりに二次元的アプローチに基づいて光源を取り付けることが有利であることを見出した。図１４及び図１５を参照して述べられた実施形態において、３つの光源及び六面のコリメート手段が用いられる。しかしながら、光源及びコリメート手段の面の任意の適切な数は、４つの光源及び４面のコリメート手段、４つの光源及び８面のコリメート手段等のように適用可能である。光源の数及び面の数は、互いの倍数（１，２，３・・・）である。
【００３０】
図１４ａは、一実施形態のダイクロイック混合体１４００の側面図を示している。本実施形態のダイクロイック混合体１４００は、図１を参照して述べられた実施形態の光源及びフィルタの３次元配置と見なされ、周囲反射体１４０６がサブコリメータの部分を作る。ダイクロイック混合体は、光源１４０３が配置される入力側端部１４０２と、混合及びコリメートされた光を出力可能な出力側端部１４０４とをもつ。図１４ｂは、光源側からのダイクロイック混合体１４００の図である。図１４ｃは、ダイクロイック混合体１４００の斜視図である。図１４ｄは、図１４ａのラインＡ−Ａに沿ったダイクロイック混合体１４００の断面図であり、ここで、我々は、周囲反射体１４０６、第１の波長範囲内で動作する第１の光源１４０８及び対応するダイクロイックフィルタ１４０９、第２の波長範囲内で動作する第２の光源１４１０及び対応するダイクロイックフィルタ１４１１、並びに、第３の波長範囲内で動作する第３の光源１４１２及び対応するダイクロイックフィルタ１４１３を見ることができる。各ダイクロイックフィルタ１４０９，１４１１，１４１３は、周囲反射体１４０６と一緒に、関連付けられた光源用のサブコリメータを形成する。これは、図１４ａのラインＢ−Ｂに沿ったダイクロイック混合体１４００の断面図である図１４ｅを観察するときに見られる。図１４ｂと図１４ｅとの間の関係が相対的な寸法にあることが観察されるべきである。それ故、全てのサブコリメータが同一の出力エリアを共有することが見られる。
【００３１】
図１５ａは、一実施形態のダイクロイック混合体１５００の側面図を示している。本実施形態のダイクロイック混合体１５００は、図２を参照して述べられた実施形態の光源及びフィルタの３次元配置と見なされるが、ここで、周囲反射体１５０６がサブコリメータの部分を作る。ダイクロイックミラーは、光源１５０３が配置される入力側端部１５０２と、混合及びコリメートされた光を出力可能な出力側端部１５０４とをもつ。図１５ｂは、光源側からのダイクロイック混合体１５００の図である。図１５ｃは、ダイクロイック混合体１５００の斜視図である。図１５ｄは、ダイクロイック混合体１５００の３次元の図を示しており、ここで、周囲反射体の部分は、ダイクロイックフィルタ１５０９，１５１１，１５１３を可視化するために除去されている。図１５ｅは、図１５ａのラインＡ−Ａに沿ったダイクロイック混合体１５００の断面図であり、ここで、我々は、周囲反射体１５０６、第１の波長範囲内で動作する第１の光源１５０８及び対応するダイクロイックフィルタ１５０９、第２の波長範囲内で動作する第２の光源１５１０及び対応するダイクロイックフィルタ１５１１、並びに、第３の波長範囲内で動作する第３の光源１５１２及び対応するダイクロイックフィルタ１５１３を見ることができる。各ダイクロイックフィルタ１５０９，１５１１，１５１３は、周囲反射体１５０６と一緒に、関連付けられた光源用のサブコリメータを形成する。これは、図１５ａのラインＢ−Ｂに沿ったダイクロイック混合体１５００の断面図である図１５ｆを観察するときに見られる。
【００３２】
図１６は、出力されるべき光が更に混合される、混合及びコリメートされた光を混合ロッド１６０４に供給するダイクロイック光混合体１６０２を有する、本発明の照明デバイス１６００の原理を概略的に示している。コリメートされた光が要求される場合には、混合ロッド１６０４は、オプション的なコリメータ１６０６に光を出力する。ダイクロイック光混合体１６０２は、図１，図２，図１４若しくは図１５を参照して述べられるか、又は、国際公開第２００６／１２９２２０号パンフレットに開示されたいずれかのダイクロイック光混合体であり得る。混合ロッド１６０４は、任意の適切なコリメータ、例えば図１１〜図１３を参照して述べられたいずれかのコリメータであり得る。
【００３３】
図１７〜図１９は、図１６を参照して述べられたものの組み合わせの例を示している。前記詳細な説明で述べられたものを利用した後に当業者により容易に理解されるように、数多くの他の組み合わせ及び変形が同等に可能であるが、簡潔さの目的のために、これらは本開示において省略される。
【００３４】
図１７は、例えば、図３を参照して開示されたもののような円柱状の混合ロッド１７０４と一緒に、図２を参照して開示された光源１７０２を備えたダイクロイック混合体をもつ照明デバイス１７００を示している。
【００３５】
図１８は、例えば、入力側端部１８０５で出力側端部１８０６よりも大きいエリアをもつ混合ロッド１８０４と一緒に、図１５を参照して開示されたダイクロイック混合体１８０２をもつ照明デバイス１８００を示している。混合ロッド１８０４の出力側端部１８０６では、コリメータ１８０８が、コリメートされた出力光を供給するために取り付けられる。コリメータ１８０８は、例えば、図１２を参照して開示されたカセグレンコリメータである。
【００３６】
図１９は、例えば、外径が削減されるように折り畳まれた光経路をもつとともに入力側端部エリアよりも小さな出力側端部エリアをもつ混合ロッド１９０４に、混合及びコリメートされた光を供給する、図１４を参照して開示されたダイクロイック混合体１９０２をもつ照明デバイス１９００を示している。混合ロッド１９０４は、コリメータ１９０６、例えばパラボラコリメータに光を供給する。
【００３７】
本発明は、幾つかの実施形態を参照して主に前述された。しかしながら、当業者により容易に理解されるように、前述されたもの以外の他の実施形態が、特許請求の範囲に規定された本発明の範囲内において可能である。
【図１】
2010536137.tif 000003
【図２】
2010536137.tif 000004
【図３】
2010536137.tif 000005
【図４】
2010536137.tif 000006
【図５】
2010536137.tif 000007
【図６】
2010536137.tif 000008
【図７】
2010536137.tif 000009
【図８】
2010536137.tif 000010
【図９】
2010536137.tif 000011
【図１０】
2010536137.tif 000012
【図１１】
2010536137.tif 000013
【図１２】
2010536137.tif 000014
【図１３】
2010536137.tif 000015
【図１４ａ】
2010536137.tif 000016
【図１４ｂ】
2010536137.tif 000017
【図１４ｃ】
2010536137.tif 000018
【図１４ｄ】
2010536137.tif 000019
【図１４ｅ】
2010536137.tif 000020
【図１５ａ】
2010536137.tif 000021
【図１５ｂ】
2010536137.tif 000022
【図１５ｃ】
2010536137.tif 000023
【図１５ｄ】
2010536137.tif 000024
【図１５ｅ】
2010536137.tif 000025
【図１５ｆ】
2010536137.tif 000026
【図１６】
2010536137.tif 000027
【図１７】
2010536137.tif 000028
【図１８】
2010536137.tif 000029
【図１９】
2010536137.tif 000030
【図２０】
2010536137.tif 000031
【図２１】
2010536137.tif 000032
【図２２】
2010536137.tif 000033
【国際調査報告】
2010536137.tif 000034
2010536137.tif 000035
2010536137.tif 000036